(57)【要約】【課題】  少なくとも横長のレーキに付着防止剤を一度に確実に塗布ができると共に、路面においた時に安定した設置状態が確保される一方、路面舗装作業機の機体に大きく張り出すことなく簡単に吊下げることができるようにする。【解決手段】  少なくとも道路作業用ツールとなるレーキ１５が自由に出し入れ可能な横長で幅の狭いツールボックス本体３に、路面舗装作業機２３の機体に引掛けて吊下げる係合フック１７と、路面９に置いた時に少なくとも正面５から前方へ突出する作業姿勢と、正面５に沿って折畳まれる格納姿勢とに切換可能な支脚部２１とを設ける。【選択図】      図１
2005200853.tif 000002
【特許請求の範囲】
【請求項１】
正面、背面、両側面、底面とで上方が開放され、その上方から少なくとも道路作業用ツールとなるレーキが自由に出し入れ可能な横長で幅の狭いツールボックス本体を形成し、そのツールボックス本体は、その背面側を路面舗装作業機の機体に引掛けて吊下げる係合フックと、路面に置いた時に少なくとも正面から前方へ突出する作業姿勢と、正面に沿って折畳まれる格納姿勢とに切換可能な支脚部とを備えていることを特徴とする道路作業用のツールボックス。
【発明の詳細な説明】
【技術分野】
【０００１】
本発明は、道路作業用ツールとなるレーキに適するツールボックスに関する。
【背景技術】
【０００２】
一般に路面の舗装は、例えば、フイニッシャと呼ばれる路面舗装作業機によって路面幅に沿って左右に配置された仕切板と仕切板の間に投入された舗装材を左右に横送りしながら平らに敷均した後、ダンパと呼ばれる締固め装置によって表面を締固めた後、転圧ローラによって最終の仕上面まで転圧されるようになっている。
【０００３】
最終仕上げとなる転圧ローラが入る前の舗装材は、図５に示すように仕切板１０１より高くなる転圧代Ｄが確保された状態にあるため、この状態で転圧ローラが入り最終仕上げまで転圧作業を行なう時に、場合によっては、舗装材１０３の一部が仕切板１０１側へ倒れ込むことで、仕切板１０１の上面に転圧された段差のある舗装路面が作られるところから、必ず舗装材１０３の倒れ込みが起きないように図７に示すように作業者がレーキ１０５を用いて仕切板１０１側から路面側へ押しつけてテーパ面１０７を作る整形作業を行なっている。
【０００４】
あるいは、図６に示すように転圧ローラが入る仕上前の作業で仕切板１０１に沿って舗装材１０３のない空間１０９が作られた時には、その空間１０９にスコップによって舗装材を充填した後、レーキ１０５によってテーパ面１０７を作る手直し作業を行なっている。
【０００５】
この場合、施工温度に加熱された舗装材１０３のアスファルトは施工後、順次冷えていき８０℃前後がもっとも付着しやい性状を有するようになるところから、レーキ作業、あるいは、スコップ作業に入る前に付着防止剤をレーキおよびスコップ等に塗布するようにしている。
【０００６】
付着防止剤は、一般に価格面、取扱い易い面等から軽油が用いられ、付着防止剤を入れる容器は作業現場まで持ち運び可能な市販のバケツを用いているのが現状となっている。
【０００７】
バケツは取手があるため目的の場所へ自由に持ち運びできることと取手を機体に引掛けて吊下げることができることから、手軽に利用できる容器となっており、どの現場でもそうである。
【０００８】
しかしながら、バケツは開口面積が小さいために、横長のレーキをバケツの上方から一度に中へ入れることができないために、レーキの片側半分をバケツの中へ入れた後、反転させてもう片側半分を入れることで、レーキ全体に付着防止剤を塗布するようにしている。
【０００９】
この作業時、開口径の小さいバケツの上でレーキを反転させるため、レーキから付着防止剤がバケツの外へたれて舗装路面を汚す問題があることと、また、レーキの片側半分を入れる時に強く入れすぎてバケツをひっくり返す等、安定性、作業性の面でも望ましくなかったものである。
【発明の開示】
【発明が解決しようとする課題】
【００１０】
そこで、本発明は安定性および作業性に優れ、しかも、見栄えの面でも大変好ましい道路作業用のツールボックスを提供することを目的としている。
【課題を解決するための手段】
【００１１】
前記目的を達成するために、本発明にあっては、正面、背面、両側面、底面とで上方が開放され、その上方から少なくとも道路作業用ツールとなるレーキが自由に出し入れ可能な横長で幅の狭いツールボックス本体を形成し、そのツールボックス本体は、その背面側を路面舗装作業機の機体に引掛けて吊下げる係合フックと、路面に置いた時に少なくとも正面から前方へ突出する作業姿勢と、正面に沿って折畳まれる格納姿勢とに切換可能な支脚部とを備えていることを特徴とする。
【発明の効果】
【００１２】
本発明によれば、係合フックを機体に引掛けることでツールボックス本体を側方へ大きく張り出すことなくしかも、見栄えよく吊下げることができる。
【００１３】
また、路面に設置した時に支脚部を格納姿勢から作動姿勢とすることで、その支脚部の領域分、設置面積が拡大するため、幅の狭いツールボックス本体であっても安定した設置状態が得られる。
【００１４】
また、横長のレーキを上方から自由に出し入れができるため外へたらすことなくレーキ全体に付着防止剤を確実に塗布することができる。
【発明を実施するための最良の形態】
【００１５】
横長のレーキを上方から自由に出し入れ可能として付着防止剤を外へたらすことなく塗布し、設置安定性に優れるという目的を、横長で幅の狭いツールボックス本体の正面に設けた切換可能な支脚部によって実現した。
【実施例】
【００１６】
以下、図１乃至図４に基づき本発明の実施形態を具体的に説明する。図１はこの発明にかかるツールボックスの切断概要説明図を示している。ツールボックス１のツールボックス本体３は、正面５と背面７と両側面９と底面１１とで上方が開放されたボックス状に作られている。上方の開放口１３は図３に示すように少なくとも作業用ツールとなるレーキ１５が上方から自由に出し入れできる横長ａで幅ｂの狭い形状となっている。
【００１７】
ツールボックス本体３の端面７には左右一対の係合フック１７が、左右両側面７にはサブ収納部１９が、正面５には支脚部２１がそれぞれ設けられている。
【００１８】
係合フック１７は、図４に示すように路面舗装作業機２３の締固め装置２５を昇降させる左右一対の可動アーム２７（反対側は図示していない）に対して上方から引掛けるようにして係脱自在に係合している。
【００１９】
サブ収納部１９は、作業用ツールでも比較的小さいヘラ２９やブラシ（図示していない）等を入れる大きさに作られていて、このサブ収納部１９に入れることで、収納場所が特定され使い勝手、および、保管管理の面で大変好ましいものとなる。
【００２０】
支脚部２１は、路面設置部材３１とその路面設置部材３１を作動姿勢（図１）（路面Ｇと接触した状態）と格納姿勢（図２）（正面５に沿った状態）とに保持する保持アーム３３から成っている。
【００２１】
路面設置部材３１はコ字状に形成され、その基端部は正面５側に取付ピン３５によって回動自在に支持されている。保持アーム３３は一端が前記路面設置部材３１の自由端部に取付ピン３７によって回動自在に支持されている。保持アーム３３の他端は、作動姿勢取付けブラケット３９及び格納姿勢取付けブラケット４１に対して締結ボルト４３により着脱自在に取付けられている。
【００２２】
したがって、作動姿勢取付ブラケット３９又は格納姿勢取付けブラケット４１を選択して保持アーム３３を取付けることで支脚部２１の作動姿勢（図１）と格納姿勢（図２）がそれぞれ確保されるようになっている。
【００２３】
この場合、ツールボックス本体３の良り確実で安定した設置状態が得られるように支脚部２１を背面７側に設けるようにしてもよい。また、保持アーム３３を別の手段にかえて路面設置部材３１を作動姿勢と格納姿勢とに切換えるようにしてもよい。
【００２４】
なお、図４において４５は投入された舗装材を左右に横送りするスクリード、４７は締固め装置２５のダンパをそれぞれ示している。
【００２５】
このように構成された道路作業用のツールボックス１によれば、係合フック１７を機体の保持アーム２７に引掛けることでツールボックス本体３を簡単に吊下げられ、移動可能となる。この時、ツールボックス本体３は見栄えよく吊下げられると共に、幅ｂが狭いことと格納姿勢（図２）にある支脚部２１と相俟って機体の側方より大きく張り出すことはない。
【００２６】
一方、ツールボックス本体３を路面９に設置した時に、作動姿勢（図１）となる支脚部２１によってその領域分設置面積が拡大するため幅ｂの狭いツールボックス本体３であっても安定した設置状態が確保され、少しぐらいの倒れ方向の力が作用しても倒れることはない。
【００２７】
この状態において、付着防止剤となる軽油５１を入れた後、スコップ等を始めとして図３に示すように横長のレーキ１５を上方から自由に出し入れできるため外へたらすことなく、しかも作業性よくレーキ１５全体に付着防止剤を確実に塗布することが可能となる。
【図面の簡単な説明】
【００２８】
【図１】この発明にかかるツールボックス本体と路面に設置した状態の概要説明図。
【図２】ツールボックス本体を機体に吊下げた状態の概要説明図。
【図３】ツールボックス本体の概要正面図。
【図４】路面舗装作業機にツールボックス本体を吊下げ支持した状態の全体の概要側面図。
【図５】転圧ローラに入る前の概要切断面図。
【図６】転圧ローラに入る前の別の変形例を示した概要切断面図。
【図７】転圧ローラに入る前に舗装材の端面をレーキで整形した状態を示す動作説明図。
【符号の説明】
【００２９】
１…ツールボックス
３…ツールボックス本体
５…正面
７…背面
１１…底面
１３…上方の開放口
１５…レーキ
１７…係合フック
２１…支脚部
２３…路面舗装作業機
Ｇ…路面
【図１】
2005200853.tif 000003
【図２】
2005200853.tif 000004
【図３】
2005200853.tif 000005
【図４】
2005200853.tif 000006
【図５】
2005200853.tif 000007
【図６】
2005200853.tif 000008
【図７】
2005200853.tif 000009